(57)【特許請求の範囲】
【請求項１】
肌対向面を形成する液透過性の表面シート、非肌対向面を形成する裏面シート、及びこれら両シート間に介在された吸収体を具備し、着用時に着用者の排泄部に対向配置される排泄部対向部と、該排泄部対向部より着用者の腹側に配される前方部と、該排泄部対向部より着用者の背側に配される後方部とを有する吸収性本体を備え、着用者の前後方向に対応する縦方向及び該縦方向に直交する横方向を有する吸収性物品であって、
前記表面シートは、肌対向面側に突出し内部空間を有する複数の肌側突出部と、非肌対向面側に突出し内部空間を有する複数の非肌側突出部とを有する凹凸構造のシートであり、該肌側突出部は、その頂部とその内部空間の開口部との間に環状構造の壁部を有し、
前記肌側突出部の前記壁部は、その繊維坪量が、前記肌側突出部の前記頂部の繊維坪量よりも高くなっており、
前記吸収体は、吸収性シートの積層体から形成されており、前記排泄部対向部にスリットを複数有しており、
前記スリットは、前記積層体における最も前記表面シート側の１層を少なくとも貫通しており、
前記排泄部対向部においては、前記肌側突出部と前記吸収体との間が中空構造となっている中空部と、前記非肌側突出部と前記吸収体とが圧着されていない非圧着部とを備えている、吸収性物品。
【請求項２】
前記吸収性本体の肌対向面に、前記表面シート及び前記吸収体が前記裏面シート側に向かって一体的に凹陥してなる線状圧搾溝が形成されており、
前記排泄部対向部においては、前記線状圧搾溝以外の部分では、前記表面シートと前記吸収体とが圧着されていない、請求項１記載の吸収性物品。
【請求項３】
前記表面シートを平面視したときに、前記肌側突出部及び前記非肌側突出部は、互いに交差する異なる２方向に沿って交互に連続して配されており、
各前記スリットは、前記縦方向に延びる縦スリットであり、該縦方向及び前記横方向の両方向に分散しており、
１つの前記縦スリットの上に、２つの前記肌側突出部それぞれの頂部が配されている前記スリットを有している請求項１又は２に記載の吸収性物品。
【請求項４】
前記スリットは、前記積層体の全層を貫通しており、
前記スリットは、前記表面シート側の開口面積が、前記裏面シート側の開口面積よりも小さい請求項１〜３の何れか１項に記載の吸収性物品。
【発明の詳細な説明】
【技術分野】
【０００１】
本発明は、生理用ナプキン等の吸収性物品に関する。
【背景技術】
【０００２】
本出願人は、先に、吸収体の直上に表面シートを配し、該表面シートの下層に多層のスリットを設け、該表面シートの上層に中実の多数の凸部を設けた吸収性物品を提案した（特許文献１参照）。また、本出願人は、先に、吸収体に縦スリットを複数設け、該吸収体の上方に配した表面シートに、構成繊維の圧着により斜め格子状の窪み部を形成して区画化された凸部が形成された吸収性物品を提案した（特許文献２参照）。
【０００３】
上記吸収性物品とは別に、特許文献３には、吸収体の直上に表面シートを備え、該表面シートに多数の凸部を設け、該表面シートの凸部と該吸収体との間に中空構造を有する吸収性物品が記載されている。
【先行技術文献】
【特許文献】
【０００４】
【特許文献１】特開２００５−３１９０４３号公報
【特許文献２】特開２０１５−０２４００２号公報
【特許文献３】特開２００９−２６８５５９号公報
【発明の概要】
【発明が解決しようとする課題】
【０００５】
特許文献１に記載の吸収性物品は、表面シートの下層に多層のスリットを有しているので、排泄された体液を素早く吸収して、その下に位置する吸収体へ迅速に移行させることができる。また、特許文献２に記載の吸収性物品は、吸収体に縦スリットを複数設けているので、表面シートに皺が入りにくく、排泄された体液を素早く吸収体内に吸収することができる。しかし、スリットは、通常、刃物でカットして形成されるものであるため、加工時に刃物で押圧されることによって、スリット周縁の繊維坪量が高くなり、体液がスリット周縁に集まり、その切り込みによるわずかな隙間に液が残り易くなる場合がある。このように、体液がスリット周縁に集まれば、吸収性物品の着用時に、体圧によって、表面シートに体液が液戻りしてしまうことが懸念される。本発明者は、このような体液の液戻りも更に解消したいとの思いに到った。
【０００６】
特許文献３に記載の吸収性物品は、表面シートの凸部と吸収体との間に中空構造を有しているので、吸収体に吸収された体液の液戻りを抑えることができる。しかし、特許文献３には、吸収性物品の着用時に体圧がかかったとしても、スリット周縁に集まれる体液を、表面シートに液戻りさせ難くする構成に関して、何ら記載されていない。
【０００７】
したがって本発明の課題は、前述した従来技術が有する欠点を解消し得る吸収性物品を提供することにある。
【課題を解決するための手段】
【０００８】
本発明は、肌対向面を形成する液透過性の表面シート、非肌対向面を形成する裏面シート、及びこれら両シート間に介在された吸収体を具備し、着用時に着用者の排泄部に対向配置される排泄部対向部と、該排泄部対向部より着用者の腹側に配される前方部と、該排泄部対向部より着用者の背側に配される後方部とを有する吸収性本体を備え、着用者の前後方向に対応する縦方向及び該縦方向に直交する横方向を有する吸収性物品であって、前記表面シートは、肌対向面側に突出し内部空間を有する複数の肌側突出部と、非肌対向面側に突出し内部空間を有する複数の非肌側突出部とを有する凹凸構造のシートであり、該肌側突出部は、その頂部とその内部空間の開口部との間に環状構造の壁部を有し、前記肌側突出部の前記壁部は、その繊維坪量が、前記肌側突出部の前記頂部の繊維坪量よりも高くなっており、前記吸収体は、吸収性シートの積層体から形成されており、前記排泄部対向部にスリットを複数有しており、前記スリットは、前記積層体における最も前記表面シート側の１層を少なくとも貫通しており、前記排泄部対向部においては、前記肌側突出部と前記吸収体との間が中空構造となっている中空部と、前記非肌側突出部と前記吸収体とが圧着されていない非圧着部とを備えている、吸収性物品を提供するものである。
【発明の効果】
【０００９】
本発明の吸収性物品によれば、吸収性物品の着用時に体圧がかかったとしても表面シートに液戻りさせ難い。
【図面の簡単な説明】
【００１０】
【図１】図１は、本発明の吸収性物品の好ましい一実施形態である生理用ナプキンの肌対向面側（表面シート側）を示す平面図である。
【図２】図２は、図１のＩＩ−ＩＩ線断面を模式的に示す端面図である。
【図３】図３は、図２に示す端面図の一部拡大端面図である。
【図４】図４は、図１に示す生理用ナプキンの備える表面シートの要部拡大斜視図である。
【図５】図５は、図４に示す表面シートの要部拡大模式断面図である。
【図６】図６は、図１に示す生理用ナプキンの備える吸収体の平面図である。
【図７】図７（ａ）ないし図７（ｂ）は、図６に示す吸収体の排泄部スリット領域における縦スリットの好ましい配置を示す部分拡大平面図である。
【図８】図８は、本発明の吸収性物品の備える他の実施形態の表面シートの要部拡大斜視図である。
【図９】図９は、比較例１の生理用ナプキンの備える表面シートの要部拡大斜視図である。
【発明を実施するための形態】
【００１１】
以下、本発明の吸収性物品を、その好ましい一実施形態である生理用ナプキン１（以下、「ナプキン１」とも言う。）に基づき図面を参照して説明する。図１には、本実施形態のナプキン１を表面シート側から視た平面図が示されており、図２には、本実施形態のナプキン１の端面図が示されている。また、図３には、本実施形態のナプキン１の一部拡大端面図が示されている。ナプキン１は、図１〜図３に示すように、肌対向面を形成する液透過性の表面シート２、非肌対向面を形成する裏面シート３、及びこれら両シート２，３間に介在された吸収体４を具備する吸収性本体１０を有している。
【００１２】
ナプキン１の吸収性本体１０は、図１に示すように、着用時に着用者の排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。ナプキン１及び吸収性本体１０は、着用者の前後方向に対応する縦方向Ｘ及び該縦方向Ｘに直交する横方向Ｙを有する。即ち、吸収性本体１０は、縦方向Ｘに、前方部Ａ、排泄部対向部Ｂ及び後方部Ｃの順番で区分される。
【００１３】
尚、本明細書において、肌対向面は、ナプキン１又はその構成部材（例えば吸収性本体１０）における、ナプキン１の着用時に着用者の肌側に向けられる面であり、非肌対向面は、ナプキン１又はその構成部材における、ナプキン１の着用時に肌側とは反対側（着衣側）に向けられる面である。また、縦方向Ｘは、ナプキン１及び吸収性本体１０の長手方向に一致し、横方向Ｙは、ナプキン１及び吸収性本体１０の幅方向（長手方向に直交する方向）に一致する。
【００１４】
本実施形態では、ナプキン１は、図１及び図２に示すように、吸収性本体１０に加えて更に、吸収性本体１０における排泄部対向部Ｂの縦方向Ｘに沿う両側部それぞれから横方向Ｙの外方に延出する一対のウイング部１０Ｗ，１０Ｗを有している。
【００１５】
尚、本発明の吸収性物品において、排泄部対向部Ｂは、本実施形態のナプキン１のようにウイング部１０Ｗを有する場合には、吸収性物品の縦方向（吸収性物品の長手方向、図中のＸ方向）においてウイング部１０Ｗを有する領域（一方のウイング部１０Ｗの縦方向Ｘに沿う付け根と他方のウイング部１０Ｗの縦方向Ｘに沿う付け根とに挟まれた領域）を意味する。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の縦方向Ｘの前端から数えて第１折曲線と第２折曲線とに囲まれた領域を意味する。
【００１６】
ナプキン１では、表面シート２は、図２に示すように、吸収体４の肌対向面の全域を被覆し、吸収体４の縦方向Ｘに沿う両側縁から横方向Ｙの外方に延出している。一方、裏面シート３は、吸収体４の非肌対向面の全域を被覆し、更に吸収体４の縦方向Ｘに沿う両側縁から横方向Ｙの外方に延出して、後述するサイドシート５と共にサイドフラップ部１０Ｓを形成している。裏面シート３とサイドシート５とは、吸収体４の縦方向Ｘに沿う両側縁からの延出部において、接着剤、ヒートシール、超音波シール等の公知の接合手段によって互いに接合されている。
【００１７】
ナプキン１では、サイドシート５は、図１及び図２に示すように、吸収性本体１０の肌対向面（表面シート２の肌対向面）における縦方向Ｘに沿う両側部に配されている。好適には、サイドシート５は、平面視において吸収体４の縦方向Ｘに沿う左右両側部に重なるように、吸収性本体１０の縦方向Ｘの全長に亘って配されている。
【００１８】
ナプキン１では、一対のサイドシート５，５は、それぞれ、図１に示すように、排泄部対向部Ｂに位置する線状の第１接合線６１と、該第１接合線６１の縦方向Ｘの前後（前方部Ａ及び後方部Ｃ）に位置する線状の第２接合線６２とで表面シート２に接合されている。第１接合線６１は、平面視において横方向Ｙの外方に向けて凸の曲線状であり、第２接合線６２は、平面視において縦方向に交互に交差するように延びる線状（ジグザグ線状）である。このように、サイドシート５が、第１接合線６１及び第２接合線６２にて表面シート２に接合されて、吸収性本体１０の肌対向面に固定されると、図２に示すように、第１接合線６１及び第２接合線６２よりも横方向Ｙの内方に、サイドシート５と表面シート２とで画成される空間部Ｐが形成される。この空間部Ｐは、吸収性本体１０の横方向Ｙの中央に向けて開口しているので、横方向Ｙの中央から外方へ流れる経血等の体液が空間部Ｐに収容されるようになり、結果として体液の漏れが効果的に防止できる。
【００１９】
ナプキン１では、サイドフラップ部１０Ｓは、図１に示すように、排泄部対向部Ｂにおいて横方向Ｙの外方に向かって大きく張り出しており、これにより吸収性本体１０の縦方向Ｘに沿う左右両側に、一対のウイング部１０Ｗ，１０Ｗが延設されている。また、表面シート２及び裏面シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００２０】
ウイング部１０Ｗは、ショーツ等の着衣のクロッチ部の非肌対向面側に折り返されて用いられるものである。ナプキン１では、ウイング部１０Ｗは、図１に示すように、平面視において、下底（上底よりも長い辺）が、吸収性本体１０の縦方向Ｘに沿う側部側に位置する略台形形状を有している。図２に示すように、ウイング部１０Ｗの非肌対向面には、該ウイング部１０Ｗ（ナプキン１）をショーツ等の着衣（図示せず）に固定するウイング部粘着部７１が形成されており、このウイング部粘着部７１によって、使用時に、着衣のクロッチ部の非肌対向面（外面）側に折り返されたウイング部１０Ｗを、該クロッチ部に粘着固定できるようになされている。また、図２に示すように、吸収性本体１０の非肌対向面にも、吸収性本体１０を、ショーツ等の着衣に固定するための本体粘着部７２（ズレ止め部）が形成されている。
【００２１】
ナプキン１では、図１及び図２に示すように、吸収性本体１０の肌対向面（表面シート２の肌対向面）に、表面シート２及び吸収体４が裏面シート３側に向かって一体的に凹陥してなる線状圧搾溝８が形成されている。線状圧搾溝８における「線状」とは、溝（凹陥部）の形状が平面視において直線に限られず、曲線を含んでいることを意味する。尚、各線は、連続線でも破線等のような不連続線でもよい。例えば、線状圧搾溝８は、不連続な多数の点エンボスのなす列から構成されていてもよい。線状圧搾溝８は、前方部Ａ及び後方部Ｃに、それぞれ横方向Ｙに延びる第１横圧搾溝８１と、排泄部対向部Ｂの両側部を縦方向Ｘに延びる縦圧搾溝８２とを有している。ナプキン１では、前方部Ａ及び後方部Ｃの第１横圧搾溝８１は、縦方向Ｘ外方に向けて凸の曲線状であり、各縦圧搾溝８２は、横方向Ｙ内方に向けて凸の曲線状である。ナプキン１では、前方部Ａの第１横圧搾溝８１、一方の縦圧搾溝８２、後方部Ｃの第１横圧搾溝８１、及び他方の縦圧搾溝８２が繋がってリング状の全周溝を形成している。また、ナプキン１では、線状圧搾溝８は、前方部Ａ及び後方部Ｃの第１横圧搾溝８１よりも縦方向Ｘ内方に、それぞれ、横方向Ｙに延びる第２横圧搾溝８３，８３を有している。ナプキン１では、前方部Ａ及び後方部Ｃの第２横圧搾溝８３，８３は、縦方向Ｘ外方に向けて凸の曲線状である。尚、ナプキン１の第２横圧搾溝８３，８３はいずれも、図１に示すように、一対の縦圧搾溝８２，８２と繋がっていないが、繋がっていてもよい。このように形成された線状圧搾溝８は、吸収体４の平面方向への体液の拡散を抑制して、ナプキン１の周囲から液漏れを効果的に防止することができる。
【００２２】
ナプキン１の表面シート２について詳述すると、表面シート２は、図４及び図５に示すように、肌対向面側に突出し内部空間Ｓ１を有する複数の肌側突出部２１と、非肌対向面側に突出し内部空間Ｓ２を有する複数の非肌側突出部２２とを有する凹凸構造のシートである。好適には、表面シート２を平面視したときに、肌側突出部２１及び非肌側突出部２２は、互いに交差する異なる２方向に沿って交互に連続して配されている。ここで、異なる２方向は、その平面内における任意の第１方向とそれに交差する第２方向とが、３０度以上９０度以下の角度で交差していることが好ましく、例えばナプキン１では９０度で交差している。即ち、例えばナプキン１では、２方向の内の一方向が横方向Ｙであり、２方向の内の他方向が縦方向Ｘである。従って、表面シート２を平面視したときに、肌側突出部２１及び非肌側突出部２２は、縦方向Ｘ及び横方向Ｙに沿って交互に連続して配されている。尚、図５に示す形態では、肌対向面側から見た凸部が肌側突出部２１であり、凹部が非肌側突出部２２となる。逆に、非肌対向面側から見た凸部が非肌側突出部２２であり、凹部が肌側突出部２１となる。したがって、肌側突出部２１と非肌側突出部２２とは一部が共有されている。この共有された部分とは、後述する環状構造の壁部２１Ｗと、後述する環状構造の壁部２２Ｗとを意味する。
【００２３】
ナプキン１では、表面シート２に関し、図４及び図５に示すように、肌側突出部２１は、その頂部２１Ｔとその内部空間Ｓ１の開口部２１Ｈとの間に環状構造の壁部２１Ｗを有している。また、非肌側突出部２２は、その頂部２２Ｔとその内部空間Ｓ２の開口部２２Ｈとの間に環状構造の壁部２２Ｗを有している。ナプキン１では、肌側突出部２１及び非肌側突出部２２は、その頂部２１Ｔ及び頂部２２Ｔが丸みをもった円錐台形状若しくは半球状にされている。複数の非肌側突出部２２の頂部２２Ｔは、その周囲部よりも繊維の坪量が低くなっており、透孔２３を有していてもよい。図４及び図５に示した実施形態においては、非肌側突出部２２は、頂部２２Ｔに貫通した透孔２３を有している。非肌側突出部２２が透孔２３を有する場合、複数の非肌側突出部２２の頂部２２Ｔの一部が透孔２３を有していてもよく、複数の非肌側突出部２２の頂部２２Ｔの全てが透孔２３を有していてもよい。また、表面シート２は、貫通する透孔２３を有する頂部２２Ｔと、透孔２３を有さずに繊維の坪量が低くなっている頂部２２Ｔとの双方を備えた非肌側突出部２２を有するものであっても良い。なお、非肌側突出部２２には貫通した透孔２３を有していなくても良い。      
【００２４】
ナプキン１の表面シートが有する肌側突出部２１及び非肌側突出部２２をより詳細に見れば、肌側突出部２１の突出形状は半球状であり、他方、非肌側突出部２２の突出形状は頂部に丸みのある円錐ないし円錐台形状になっている。尚、肌側突出部２１及び非肌側突出部２２の突出形状は、前記形状に限定されず、どのような突出形状でもよい。例えば、円錐、円錐台、角錐、角錐台、斜円錐等の錐体形状であってもよい。ナプキン１では、肌側突出部２１及び非肌側突出部２２は、その外径と相似する頂部に丸みのある円錐台形状若しくは半球状の内部空間Ｓ１及び内部空間Ｓ２を保持している。
【００２５】
表面シート２を肌対向面側から平面視したときに、肌側突出部２１の壁部２１Ｗは、肌側突出部２１の頂部２１Ｔを中心に環状構造をなしている。また、表面シート２を非肌対向面側から平面視したときに、非肌側突出部２２の壁部２２Ｗは、非肌側突出部２２の頂部２２Ｔを中心に環状構造をなしている。そして、肌側突出部２１の壁部２１Ｗは、図５に示すように、非肌側突出部２２の壁部２２Ｗと同じ部位を共有している。ここで「環状」とは、表面シート２の平面視において無端の一連の形状をなしていれば特に限定されず、表面シート２の平面視において、円形、楕円形、矩形、多角形など、どのような形状であってもよい。表面シート２の連続状態を好適に維持する観点からは、円形又は楕円形の環状構造であることが好ましい。更に、「環状」を立体形状として言えば、円柱状、斜円柱状、楕円柱状、切頭円錐状、切頭斜円錐状、切頭楕円錐状、切頭四角錐状、切頭斜四角錐状など任意の環構造が挙げられ、連続したシート状態を実現する観点からは、円柱状、楕円柱状、切頭円錐状、切頭楕円錐状が好ましい。
【００２６】
上述のように設けられた肌側突出部２１及び非肌側突出部２２を有する表面シート２は、屈曲部を有さず、全体が連続した曲面で構成されている。このように表面シート２は、平面方向に連続した構造を有していることが好ましい。ここで「連続」とは、断続した部分、或いは非肌側突出部２２の頂部２２Ｔに形成された透孔２３以外の小孔がないことを意味する。ただし、繊維間の隙間のような微細孔は前記小孔に含めない。透孔２３を含む前記小孔とは、例えば、その孔径が円相当の直径で１．０ｍｍ以上のものと定義することができる。
【００２７】
ナプキン１では、表面シート２は、その厚み方向に関して、構成繊維の繊維坪量が相違している。ここで、繊維坪量とは、表面シート２の単位面積当たりの繊維の量、すなわち本数のことである。繊維坪量が高いとは、表面シート２の単位面積あたりに存在する繊維の量が多く、繊維間距離が小さいことを意味する。繊維坪量が低いとは、表面シート２の単位面積あたりに存在する繊維の量が少なく、繊維間距離が大きいことを意味する。即ち、繊維坪量が高い部位は毛管力が高く、繊維坪量が低い部位は毛管力が低くなることを意味する。
【００２８】
ナプキン１では、図４に示すように、表面シート２を断面視して、肌側突出部２１の頂部２１Ｔと非肌側突出部２２の頂部２２Ｔとの間の壁部２１Ｗ，２２Ｗは、その繊維坪量が、肌側突出部２１の頂部２１Ｔの繊維坪量及び非肌側突出部２２の頂部２２Ｔの繊維坪量よりも高くなっている。好適に、ナプキン１では、肌側突出部２１の壁部２１Ｗ（非肌側突出部２２の壁部２２Ｗ）は、その繊維坪量が、肌側突出部２１の頂部２１Ｔ及び非肌突出部２２の頂部２２Ｔ双方の繊維坪量よりも高くなっている。特に、ナプキン１では、頂部２２Ｔ＜肌側突出部２１の頂部２１Ｔ＜肌側突出部２１の壁部２１Ｗ（非肌側突出部２２の壁部２２Ｗ）の順に、繊維坪量が高くなっている。したがって、毛管力に関しても、頂部２２Ｔ＜肌側突出部２１の頂部２１Ｔ＜肌側突出部２１の壁部２１Ｗ（非肌側突出部２２の壁部２２Ｗ）の順に毛管力が高くなっている。この場合、繊維坪量及び毛管力は、頂部２２Ｔ＜肌側突出部２１の頂部２１Ｔ＜肌側突出部２１の壁部２１Ｗ（非肌側突出部２２の壁部２２Ｗ）の順に連続的に漸次増加していてもよく、あるいはステップ状に段階的に増加していてもよい。このように、表面シート２の肌側突出部２１から非肌側突出部２２にわたる粗密変化による毛管力差により、表面シート２の肌側面から吸収した経血等の排泄物を非肌側面に移行し易くなり、表面シート２の肌側面における排泄液残り量や液戻り量を低減することが出来る。また、頂部２２Ｔの繊維坪量が低いことで、排泄液が吸収体４に移行し易くなるので、排泄液の吸収される速度が速くなる。
【００２９】
表面シート２の繊維坪量の値は、後述するように、測定箇所における視野における繊維の本数を単位面積当たりに換算した値で表現される。該繊維坪量の値は、非肌側突出部２２の頂部２２Ｔに関しては、２本／ｍｍ２以上、特に１０本／ｍｍ２以上であることが好ましく、１００本／ｍｍ２以下、特に８０本／ｍｍ２以下であることが好ましく、具体的には、２本／ｍｍ２以上１００本／ｍｍ２以下であることが好ましく、１０本／ｍｍ２以上８０本／ｍｍ２以下であることが更に好ましい。また、肌側突出部２１の頂部２１Ｔに関しては、３０本／ｍｍ２以上、特に５０本／ｍｍ２以上であることが好ましく、１３０本／ｍｍ２以下、特に１２０本／ｍｍ２以下であることが好ましく、具体的には、３０本／ｍｍ２以上１３０本／ｍｍ２以下であることが好ましく、５０本／ｍｍ２以上１２０本／ｍｍ２以下であることが更に好ましい。また、肌側突出部２１の壁部２１Ｗ（非肌側突出部２２の壁部２２Ｗ）に関しては、３０本／ｍｍ２以上、特に５０本／ｍｍ２以上であることが好ましく、２００本／ｍｍ２以下、特に１５０本／ｍｍ２以下であることが好ましく、具体的には、３０本／ｍｍ２以上２００本／ｍｍ２以下であることが好ましく、５０本／ｍｍ２以上１５０本／ｍｍ２以下であることが更に好ましい。肌側突出部２１の頂部２１Ｔの繊維坪量は、頂部２１Ｔにおける層厚みＴＬ１の中央付近の位置で測定される。非肌側突出部２２の頂部２２Ｔの繊維坪量は、頂部２２Ｔにおける層厚みＴＬ２の中央付近の位置で測定される。肌側突出部２１の壁部２１Ｗ（非肌側突出部２２の壁部２２Ｗ）の繊維坪量は、全体の厚さをシート厚みＴＳの中間付近における、壁部２１Ｗにおける層厚みＴＬ３の中央付近の位置で測定される。繊維坪量の測定方法は以下のとおりである。
【００３０】
＜繊維坪量の測定方法＞
表面シート２の切断面を、走査電子顕微鏡を用いて拡大観察（繊維断面が３０〜６０本程度計測できる倍率に調整；１５０〜５００倍）し、一定面積当たり（０．５ｍｍ２程度）の前記切断面によって切断されている繊維の断面数を数える。次に１ｍｍ２当たりの繊維の断面数に換算し、これを繊維坪量とする。測定は３箇所行い、平均してそのサンプルの繊維坪量とする。
・走査電子顕微鏡；日本電子（株）社製のＪＣＭ−５１００（商品名）
【００３１】
また、表面シート２は、その圧縮率が、着用時の体圧及び着用者の大腿部による内向きの押圧力により肌側突出部２１が潰されても突出部２１の形状が元の形状に回復し、吸収体スリット４３の隙間に残る体液からの液戻りを抑えるという観点から、４０％以上、特に６０％以上であることが好ましく、９５％以下、特に９０％以下であることが好ましく、具体的には、４０％以上９５％以下であることが好ましく、６０％以上９０％以下であることが更に好ましい。表面シート２の圧縮率は、ＫＥＳ圧縮試験機を用いて測定することができる。ＫＥＳ圧縮試験機を用いて測定された値が大きいほど、クッション性に優れると評価できる。ＫＥＳ圧縮試験機による表面シート２の圧縮率は、「風合いの評価の標準化と解析（第２版）」〔川端季雄著、社団法人日本繊維機械学会  風合い計量と規格化研究委員会発行（昭和５５年７月１０日）〕に規定されており、布の圧縮特性に関する物性である。ＫＥＳ圧縮試験機による表面シート２の圧縮率の測定方法は以下のとおりである。
【００３２】
＜圧縮率の測定方法＞
測定装置として、カトー・テック社製のＫＥＳ−ＦＢ３圧縮試験機を用いる。この試験機を用い、圧縮面積２ｃｍ２で試料（表面シート２）の０．５ｇｆ／ｃｍ２荷重下での厚みＴ０を測定する。次に加圧速度１０μｍ／秒で試料を圧縮する。圧縮に連れて荷重が増加していく。圧縮は荷重が５０ｇｆ／ｃｍ２となるまで行う。そして、５０ｇｆ／ｃｍ２荷重下での厚みＴｍを測定する。厚みＴ０から厚みＴｍを引いた値を厚みＴ０で除し、これに１００を乗じることで、圧縮試験機による表面シート２の圧縮率（％）を算出する。つまり、圧縮率（％）は、（Ｔ０−Ｔｍ）／Ｔ０×１００から算出される。
【００３３】
また、表面シート２は、その圧縮エネルギーが、着用時の体圧及び着用者の大腿部による内向きの押圧力により、肌側突出部２１が肌に接触したときの肌触りのよさと肌側突出部２１が体の動きに追従するという観点から、０．９８ｍＮ・ｍ／ｃｍ２以上、特に３．４３ｍＮ・ｍ／ｃｍ２以上であることが好ましく、９．８ｍＮ・ｍ／ｃｍ２以下、特に６．８６ｍＮ・ｍ／ｃｍ２以下であることが好ましく、具体的には、０．９８ｍＮ・ｍ／ｃｍ２以上９．８ｍＮ・ｍ／ｃｍ２以下であることが好ましく、３．４３ｍＮ・ｍ／ｃｍ２以上６．８６ｍＮ・ｍ／ｃｍ２以下であることが更に好ましい。表面シート２の圧縮エネルギーは、ＫＥＳ圧縮試験機を用いて測定することができる。ＫＥＳ圧縮試験機を用いて測定されたＷＣ値が大きいほど、表面シート２ふんわりしていると評価できる。ＫＥＳ圧縮試験機による表面シート２の圧縮エネルギーの測定方法は以下のとおりである。
【００３４】
＜圧縮エネルギーの測定方法＞
測定装置として、カトー・テック社製のＫＥＳ−Ｇ５ハンディー圧縮試験機を用いる。この試験機を用い、５ｃｍ×１０ｃｍの試料（表面シート２）を準備し、試験台に取り付ける。次に、その資料を面積２ｃｍ２の円形平面を持つ鋼板間で圧縮する。圧縮速度は２０μｍ／ｓｅｃ、圧縮最大荷重は４．９ｋＰａとする。回復過程も同一速度で測定を行う。表面シート２の圧縮エネルギー（ＷＣ）は次式で表される。Ｔｍ、Ｔ０及びＰは、それぞれ４．９ｋＰａ（５０ｇｆ/ｃｍ2）荷重時の厚み、４９Ｐａ（０．５ｇｆ/ｃｍ2）荷重時の厚み及び測定時の荷重を示す。
【００３５】
【数１】
0006512987.tif 000002
【００３６】
また、表面シート２の厚さに関しては、表面シート２を図５に示すように側面視したときの全体の厚さをシート厚みＴＳとし、その凹凸に湾曲した表面シート２の局部的な厚さを層厚みＴＬとする。シート厚みＴＳは、用途によって適宜調節すればよいが、生理用品等の吸収性物品用の表面シートとして用いる場合、１ｍｍ以上３．５ｍｍ以下が好ましく、１．２ｍｍ以上２．５ｍｍ以下がより好ましい。この範囲とすることにより、使用時の体液吸収速度が速く、吸収体からの液戻りを抑え、更に、適度なクッション性を実現することができる。
【００３７】
層厚みＴＬは、表面シート２内の各部位において異なっていてもよく、用途によって適宜調節すればよい。生理用品等の吸収性物品用の表面シートとして用いる場合、肌側突出部２１の頂部２１Ｔにおける層厚みＴＬ１＞肌側突出部２１の壁部２１Ｗ（非肌側突出部２２の壁部２２Ｗ）における層厚みＴＬ３＞非肌側突出部２２の頂部２２Ｔにおける層厚みＴＬ２の順に、小さくなっていることが好ましい。これにより、肌側突出部２１の頂部２１Ｔにおいて、特に肌対向面側では、繊維坪量が低く、良好な肌当たりを実現することができる。一方、肌側突出部２１の壁部２１Ｗ（非肌側突出部２２の壁部２２Ｗ）は繊維坪量が高くなり、潰れにくく、型崩れせずに良好なクッション性と液体の吸収速度に優れた表面シート２とすることができる。
【００３８】
シート厚みＴＳ及び層厚みＴＬは以下の方法で測定される。
シート厚みＴＳの測定方法は、表面シート２に０．０５ｋＰａの荷重を加えた状態で、厚み測定器を用いて測定する。厚み測定器にはオムロン社製のレーザー変位計を用いる。厚み測定は、１０点測定し、それらの平均値を算出して厚みとする。また、層厚みＴＬの測定法は、フェザー剃刀（品番ＦＡＳ‐１０、フェザー安全剃刀（株）製）を用いて表面シート２を厚み方向に沿って切断する。そして、切断したシートの断面をキーエンス製デジタルマイクロスコープＶＨＸ−９００により約２０倍程度で拡大することで、各層の厚みを測定する
【００３９】
表面シート２を平面視したときに最も近い位置にある肌側突出部２１の頂部２１Ｔと非肌側突出部２２の頂部２２Ｔとの間隔は、用途によって適宜調節すればよく、生理用品等の吸収性物品用の表面シートとして用いる場合、１ｍｍ以上１５ｍｍ以下が好ましく、３ｍｍ以上１０ｍｍ以下がより好ましい。また、表面シート２における横方向Ｙに隣り合う肌側突出部２１の頂部２１Ｔ，２１Ｔどうしの間隔Ｌ２１（図５参照）は、２ｍｍ以上３０ｍｍ以下が好ましく、３ｍｍ以上１５ｍｍ以下がより好ましい。また、表面シート２における縦方向Ｘに隣り合う肌側突出部２１の頂部２１Ｔ，２１Ｔどうしの間隔は、２ｍｍ以上３０ｍｍ以下が好ましく、３ｍｍ以上１５ｍｍ以下がより好ましい。また、表面シート２の坪量は、用途によって適宜選択すればよく、生理用品等の吸収性物品用の表面シートとして用いる場合、シート全体の平均値で１５ｇ／ｍ２以上５０ｇ／ｍ２以下が好ましく、２０ｇ／ｍ２以上４０ｇ／ｍ２以下がより好ましい。
【００４０】
ナプキン１では、吸収体４は、吸収性シート４１１〜４１３の積層体から形成されており、排泄部対向部Ｂにスリット４３を複数有している。好適に、吸収体４は、図６に示すように、吸収体４を平面視して、吸収体４の外形を形成する主吸収体４０と、排泄部対向部Ｂに配された主吸収体４０よりも小型の補助吸収体４１とを有している。
【００４１】
ナプキン１では、主吸収体４０は、図２に示すように、平面視において角が丸みを帯びた略矩形形状で且つ前方部Ａから排泄部対向部Ｂを経て後方部Ｃに亘って延びる２枚の同形同大の吸収性シート４１１，４１２から形成されている。また、ナプキン１では、補助吸収体４１は、図２に示すように、平面視して、略矩形形状であり、排泄部対向部Ｂに配されている。補助吸収体４１は、１枚の吸収性シート４１３を折り畳んで２層構造としたものであり、主吸収体４０を構成する２枚の吸収性シート４１１，４１２間に配されている。以上のように、ナプキン１では、吸収性シート４１３から形成された２層構造の補助吸収体４１を、２枚の吸収性シート４１１，４１２から形成された主吸収体４０で包んで形成されている。
【００４２】
吸収性シート４１１〜４１３で形成された吸収体４は、図２に示すように、排泄部対向部Ｂに、２層構造の主吸収体４０及び２層構造の補助吸収体４１で形成された４層構造の多層部４２を有している。また、吸収体４における多層部４２以外の部分も２層構造の主吸収体４０で形成された２層構造の積層構造となっている。ここで、多層部４２とは、図２に示すように、吸収体４を構成する吸収性シートの積層枚数が、その周囲に位置する部分より多い部分である。ナプキン１では、多層部４２は、その周囲に位置する部分よりも厚みが厚く、排泄部対向部Ｂに、表面シート２側（ナプキン１の肌対向面側）に隆起した隆起部を形成している。主吸収体４０の一部に２層構造の補助吸収体４１を配することで、吸収体４の一部の吸収容量を容易且つ効率的に増大させることができる。吸収性シート間は、接合されていなくてもよいし、まばらに散布した接着剤等によって接合されていてもよい。
【００４３】
ナプキン１の吸収体４は、多層部４２における厚みが、好ましくは０．７ｍｍ以上、更に好ましくは１ｍｍ以上であり、また、好ましくは５ｍｍ以下、更に好ましくは４ｍｍ以下であり、より具体的には、好ましくは０．７ｍｍ以上５ｍｍ以下、更に好ましくは１ｍｍ以上４ｍｍ以下である。多層部４２の厚みをこのような範囲とすることで、多層部４２が形成されている排泄部対向部Ｂにおける良好な装着感と高い吸収性能を両立することが容易となる。また、本実施形態のナプキン１のように吸収性物品がウイング部を備えている場合には、装着時に排泄部対向部Ｂでの吸収体４のヨレを抑制しやすくなる。また、吸収体４は、多層部４２以外の部分における厚みが、好ましくは０．３ｍｍ以上、更に好ましくは０．５ｍｍ以上であり、また、好ましくは３ｍｍ以下、更に好ましくは２．５ｍｍ以下であり、より具体的には、好ましくは０．３ｍｍ以上３ｍｍ以下、更に好ましくは０．５ｍｍ以上２．５ｍｍ以下である。この範囲であることが、高い吸収性能と着用者の動きへの追従性を高める観点から好ましい。
【００４４】
また、ナプキン１の吸収体４において、中高部４２とその周辺部との境界又はその近傍における両者の厚み差（段差）は２ｍｍ以下であることが好ましく、更に１．５ｍｍ以下であることが好ましい。この目的は、排泄部対向部Ｂにおいて、中高部４２とその周辺部分の主吸収体４０のみが存在する領域との境界付近におけるヨレの発生を抑制することである。この段差が大きいと、着用中にナプキン１が着用者の動きに追従した際、段差による隙間を埋めようとするため、結果として段差の影響でヨレが生じ易くなることがあるが、該段差を前記範囲内に設定とすることで、排泄部対向部Ｂにおけるヨレの発生を抑える効果が高まる。前述した吸収体４の各部の厚みは下記方法により測定される。
【００４５】
＜吸収体の厚みの測定方法＞
測定対象物である吸収体を水平な場所にシワや折れ曲がりがないように静置し、５ｃＮ／ｃｍ2の荷重下での厚みを測定する。厚みの測定には、ダイヤルゲージ式厚み計（PEACOCK DIAL UPRIGHT GAUGES R5-C(OZAKI MFG.CO.LTD.製）)を用いる。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００４６】
また、ナプキン１では、図１及び図６に示すように、各スリット４３は、縦方向Ｘに平行に配されている。即ち、各スリット４３は、縦方向Ｘに延びる縦スリットである。ナプキン１では、縦方向Ｘに延びるスリット（縦スリット）４３が、縦方向Ｘ及び横方向Ｙの両方向に分散した状態に形成された排泄部スリット領域４Ｓを有している。
【００４７】
ナプキン１では、スリット４３は、吸収体４を形成する吸収性シート４１１〜４１３の積層体における最も表面シート２側の１層を少なくとも貫通している。ナプキン１では、図２に示すように、吸収体４を横方向Ｙに沿って断面視したときに、スリット（縦スリット）４３が、４層構造の吸収体４における最も表面シート２側の１層を形成する吸収性シート４１１を貫通しているのみならず、４層構造の積層体の全層を貫通している。即ち、スリット（縦スリット）４３が、吸収体４をその厚み方向に亘って全層貫通している。縦スリット４３が吸収体４を完全に貫通することで、吸収体４へ到達した液は、吸収体４の非肌対向面側へ到達しやすくなり吸収体４を効率的に使用した吸収が可能になる。また好適には、縦スリット４３は、排泄部対向部Ｂにおける多層部４２及び多層部４２以外の部位、それぞれに、吸収体４をその厚み方向に亘って貫通する切り込みを入れて形成される。複数の縦スリット４３が配された排泄部スリット領域４Ｓは、図６に示すように、排泄部対向部Ｂのみならず、前方部Ａの一部及び後方部Ｃの一部に亘っている。
【００４８】
ナプキン１では、スリット４３は、図３に示すように、表面シート２側の開口幅が、裏面シート３側の開口幅よりも小さく形成されている。スリット４３における表面シート２側の開口幅は、好ましくは０．０５ｍｍ以上、更に好ましくは０．７ｍｍ以上であり、また、好ましくは１．２ｍｍ以下、更に好ましくは１．０ｍｍ以下であり、より具体的には、好ましくは０．０５ｍｍ以上１．２ｍｍ以下、更に好ましくは０．０７ｍｍ以上１．０ｍｍ以下である。また、スリット４３における裏面シート３側の開口幅は、好ましくは０．１ｍｍ以上、更に好ましくは０．２ｍｍ以上であり、また、好ましくは１．５ｍｍ以下、更に好ましくは１．２ｍｍ以下であり、より具体的には、好ましくは０．１ｍｍ以上１．５ｍｍ以下、更に好ましくは０．２ｍｍ以上１．２ｍｍ以下である。前述した吸収体４のスリット４３の開口面積は下記方法により測定される。
【００４９】
＜スリット開口幅の測定方法＞
スリット４３の開口幅は、ナプキン１から吸収体４を取り出し、取り出された吸収体４を水平に置き、キーエンス製デジタルマイクロスコープＶＨＸ−９００により測定倍率を調整して拡大することで、開口幅を測定する。
【００５０】
ナプキン１では、各縦スリット４３は、図１に示すように、その横方向長さである幅Ｗ４３（図６参照）が、表面シート２における横方向Ｙに隣り合う肌側突出部２１の頂部２１Ｔ，２１Ｔどうしの間隔Ｌ２１（図５参照）よりも狭く形成されている。ここで、縦スリット４３の幅Ｗ４３は、最も表面シート２側に位置する開口での最大幅である。また、頂部２１Ｔ，２１Ｔどうしの間隔Ｌ２１は、横方向Ｙに延びる同一スリット列内における縦スリット４３どうしの間隔Ｌ４３（図６参照）よりも狭く形成されている。ここで、スリットの幅Ｗ４３とは、スリットの延びる方向と直交する方向における該スリットの長さのことをいう。また、ここでいう、スリットの幅とは、吸収性物品を衣類のクロッチ部等に固定する前の、張力を加えない自然状態における幅の内の最大幅であり、体液を吸収体４に吸収させる前の幅のことをいう。具体的に、各スリット（縦スリット）４３を平面視したときのスリット（縦スリット）４３の幅Ｗ４３は、０．１ｍｍ以上が好ましく、０．３ｍｍ以上が更に好ましく、また、１ｍｍ以下が好ましく、０．８ｍｍ以下が更に好ましく、また、０．１ｍｍ以上１ｍｍ以下が好ましく、０．３ｍｍ以上０．８ｍｍ以下が更に好ましい。
【００５１】
縦スリット４３どうしの間隔Ｌ４３（図６参照）に対する肌側突出部２１の頂部２１Ｔどうしの間隔Ｌ２１（図５参照）の割合（（Ｌ２１／Ｌ４３）×１００）は、縦スリット４３の位置と、肌側突出部２１の頂部２１Ｔの位置とが重なることにより着用時の動きの中で起こる頂部２１Ｔの折れの発生部位をできる限り少なくし、製品のフィット性を保ちながら着用中の表面シート２の肌触りの良さを維持するために、１０％以上であることが好ましく、３０％以上であることが更に好ましく、７０％以下であることが好ましく、５５％以下であることが更に好ましく、そして、１０％以上７０％以下であることが好ましく、３０％以上５５％以下であることが更に好ましい。
具体的に、ナプキン１では、縦スリット４３どうしの間隔Ｌ４３（図６参照）は、好ましくは３ｍｍ以上、更に好ましくは７ｍｍ以上、また、好ましくは２０ｍｍ以下、更に好ましくは１５ｍｍ以下であり、また、好ましくは３ｍｍ以上２０ｍｍ以下、更に好ましくは７ｍｍ以上１５ｍｍ以下である。
【００５２】
ナプキン１では、排泄部スリット領域４Ｓにおけるスリットの配置は、各スリットが、縦方向Ｘ及び横方向Ｙの両方向に分散されている配置であれば、特に制限されないが、図６に示す形態におけるように、縦方向Ｘに沿う縦スリット４３を有する場合、ナプキン１の縦方向Ｘに沿って直列配置した複数の縦スリット４３からなる縦列Ｌが、横方向Ｙに複数列形成されていることが好ましい。また、ナプキン１では横方向Ｙに隣り合う縦列Ｌ，Ｌにおける縦スリット４３の縦方向Ｘの位置が一致していない配置が好ましい。
【００５３】
ナプキン１では、排泄部スリット領域４Ｓは、図６に示すように、多層部４２を含むように形成されている。多層部４２には、横方向Ｙに離間した２本以上の縦スリット４３からなるスリット列が縦方向Ｘに２列以上形成されていることが好ましく、縦方向Ｘに３列以上形成されていることが更に好ましく、４列以上形成されていることが特に好ましい。また、個々のスリット列に含まれる横方向Ｘに離間した縦スリット４３の本数は、好ましくは２本以上であり、更に好ましくは３本以上である。排泄部スリット領域４Ｓの縦方向Ｘには、多層部４２に含まれるスリット列に加えて、多層部４２より縦方向Ｘの前方若しくは後方又は前方及び後方の両方に、１列又は２以上のスリット列を有することが好ましい。
【００５４】
図７に、排泄部スリット領域４Ｓにおける縦スリット４３の好ましい配置の例を示している。これらの図に示す配置においては、ナプキン１の横方向Ｙに離間した複数本の縦スリット４３からなるスリット列Ｒ１，Ｒ２が、ナプキン１の縦方向Ｘに交互に複数列形成されている。図７に示す配置例においては、横方向Ｙに離間した２本の縦スリット４３からなるスリット列Ｒ１と、横方向Ｙに離間した３本の縦スリット４３からなるスリット列Ｒ２とが、縦方向Ｘに交互に形成されている。
【００５５】
図７に示した縦スリット４３の好ましい配置の例においては、図７（ａ）及び図７（ｂ）に示すように、縦方向Ｘに隣り合う２つのスリット列Ｒ１，Ｒ２における縦スリット４３は、一方のスリット列Ｒ１の縦スリット４３が、他方のスリット列Ｒ２における横方向Ｙに隣り合う縦スリットどうし４３，４３の間の中央部に配されている。そして、ナプキン１の縦方向Ｘに隣り合うスリット列Ｒ１，Ｒ２間には、間隔を有していない。即ち、縦方向Ｘに隣り合う２つのスリット列Ｒ１，Ｒ２間には、間隔は設けていない。隣り合うスリット列間に間隔を有しないという表現には、図７（ａ）に示すように、隣り合うスリット列Ｒ１，Ｒ２の縦スリット４３の端部どうしの位置が一致している場合と、図７（ｂ）に示すように、隣り合うスリット列Ｒ１，Ｒ２の縦スリット４３の端部どうしが、縦方向Ｘにおいて重複している場合とが含まれる。図７（ｂ）に示すように、２本のスリット列Ｒ１，Ｒ２の縦スリット４３の端部どうしを重複させた状態で縦方向Ｘに配置する場合、その重複させる長さＬ１は、スリット列を構成する縦スリット４３の同方向Ｘの長さＬ２の２０％以下であることが好ましく、１０％以下であることが更に好ましい。
【００５６】
ナプキン１では、１つの縦スリット４３の上に、表面シート２における２つの肌側突出部２１，２１それぞれの頂部２１Ｔ，２１Ｔが配されているスリットを有している。ナプキン１では、少なくとも２つの肌側突出部２１，２１の頂部２１Ｔ，２１Ｔが上方に配されている縦スリット４３を１本有していればよく、２つの肌側突出部２１，２１の頂部２１Ｔ，２１Ｔが上方に配されている縦スリット４３を複数本有していることが好ましく、全ての縦スリット４３それぞれが上方に２つの肌側突出部２１，２１の頂部２１Ｔ，２１Ｔを有していることが更に好ましい。また、ナプキン１では、縦スリット４３の長さＬ２（図７参照）は、表面シート２における縦方向Ｘに隣り合う肌側突出部２１の頂部２１Ｔ，２１Ｔどうしの間隔よりも広く形成されていることが好ましく、好ましくは１０ｍｍ以上、更に好ましくは１５ｍｍ以上であり、また、好ましくは３５ｍｍ以下、更に好ましくは２５ｍｍ以下であり、また、好ましくは１０ｍｍ以上３５ｍｍ以下、更に好ましくは１５ｍｍ以上２５ｍｍ以下である。
【００５７】
ナプキン１は、排泄部対向部Ｂにおいて、表面シート２の肌側突出部２１と吸収体４との間が中空構造となっている中空部と、表面シート２の非肌側突出部２２と吸収体４とが圧着されていない非圧着部とを備えている。以下、排泄部対向部Ｂにおける該中空部及び該非圧着部を備える当該部分を中空維持部と呼ぶ。具体的には、ナプキン１の排泄部対向部Ｂにおける線状圧搾溝８以外の部分では、表面シート２と吸収体４とが圧着されておらず、表面シート２の各肌側突出部２１と吸収体４との間に中空構造となった中空部が形成されている。また、ナプキン１の排泄部対向部Ｂにおける線状圧搾溝８以外の部分では、表面シート２とセカンドシート９とが圧着されておらず、表面シート２の非肌側突出部２２と吸収体４とが圧着されていない非圧着部が形成されている。即ち、排泄部対向部Ｂにおける中空維持部とは、ナプキン１では、排泄部対向部Ｂにおける線状圧搾溝８以外の部分を意味している。線状圧搾溝８の圧着手段としては、圧着の中でも、特に、熱圧着が好ましい。ここで、「熱圧着」とは、表面シート２を構成する構成繊維どうしを固定して不織布形状を形成する熱融着とは異なり、表面シート２と吸収体４とを熱を掛けながらエンボス等により圧縮して凹陥させ、表面シート２を圧着することを意味する。
【００５８】
ナプキン１の排泄部対向部Ｂにおける線状圧搾溝８以外の部分では、表面シート２を前記互いに交差する異なる２方向の内の一方向に沿って断面視したときに、表面シート２の複数の肌側突出部２１と吸収体４との間の中空構造を形成する内部空間Ｓ１どうしが繋がっている。好適に、ナプキン１では、各内部空間Ｓ１が隔てられておらず（独立しておらず）、図５に示すように、例えば前記２方向の内の一方向である横方向Ｙに沿って表面シート２を断面視したときに、縦方向Ｘと横方向Ｙとの間の斜め方向に隣り合う複数の肌側突出部２１の内部空間Ｓ１，Ｓ１どうしが繋がっており、内部空間Ｓ１，Ｓ１どうしの繋がりが、縦方向Ｘ及び横方向Ｙから形成される面方向に広がっている。
【００５９】
ナプキン１では、表面シート２と吸収体４との間は、接着剤を塗布して固定されている。接着剤は、公知の手段、例えば、スロットコートガン、スパイラルスプレーガン、スプレーガン、或いはドットガンを用いて塗布することができ、ナプキン１では、スパイラルスプレーガンを用いてスパイラル状に塗布することが好ましい。塗布する接着剤としては、例えば、ホットメルト接着剤が好ましく用いられる。ホットメルト接着剤の塗布量は、１．５ｇ／ｍ２以上１０ｇ／ｍ２以下であることが好ましい。尚、吸収体４と裏面シート３との間も接着剤によって接合されていてもよい。
【００６０】
上述した本実施形態のナプキン１の各構成部材の形成材料について説明する。
表面シート２としては、原料不織布として、単層構造であるか、又は複数の層が積層されてなる多層構造であるエアースルー不織布を用い、例えば特開２０１３−１３３５７４号公報に記載の方法により好適に製造したシートを用いることができる。特開２０１３−１３３５７４号公報に記載の方法により製造される表面シート２には、肌側突出部２１及び非肌側突出部２２を有するシートの形に形成するための熱融着部が無い構成となっている。
【００６１】
裏面シート３としては、吸収性物品の裏面シートに従来使用されている各種のもの等を特に制限なく用いることができ、例えば、液不透過性又は撥水性の樹脂フィルム、透湿フィルム、樹脂フィルムと不織布とのラミネートシート等を用いることができる。
【００６２】
吸収体４を構成する吸収性シート４１１〜４１３としては、湿潤状態の吸水性ポリマーに生じる粘着力や別に添加した接着剤や接着性繊維等のバインダーを介して、構成繊維間や構成繊維と吸水性ポリマーとの間を結合させてシート状としたもの等を好ましく用いることができる。また、吸収性シートとしては、特開平８−２４６３９５号公報記載の方法にて製造された吸収性シート、気流に乗せて供給した粉砕パルプ及び吸水性ポリマーを堆積させた後、接着剤（例えば酢酸ビニル系の接着剤、ＰＶＡ等）で固めた乾式シート、紙や不織布の間にホットメルト接着剤等を塗布した後高吸水性ポリマーを散布して得られた吸収性シート、スパンボンド又はメルトブロー不織布製造工程中に高吸水性ポリマーを配合して得られた吸収性シート等を用いることができる。これらの吸収性シートは、一枚を所定形状に裁断してシート状吸収体として用いることができる。
【００６３】
また、ナプキン１のように、吸収体４にスリット４３を形成するには、吸収性シートの積層体を、公知の切断手段により部分的に切断すればよく、例えば、ロールの周面に、周方向に延びる切断刃が、ロールの周方向及び軸長方向に分散させて多数形成されたカッターロールと、該カッターロールの刃を受けるアンビルロールとを備えた切断装置を用いることができる。特に、ナプキン１のスリット４３のように、表面シート２側の開口面積を裏面シート３側の開口面積よりも小さく形成する場合には、前記切断刃を用い、吸収体４の裏面シート３側の面から該切断刃を押圧することによって、形成することが可能となる。
【００６４】
尚、吸収体４を構成する吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。また、吸収体４を構成する吸収性シートは、そのいずれもが吸水性ポリマーを含有する吸水性シートであることが好ましいが、吸水性ポリマーを含有する吸水性シートと、吸水性ポリマーを含有しない吸水性シートを組み合わせて、吸収体を構成する吸水性シートの積層体としてもよい。
【００６５】
サイドシート５としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアースルー不織布等の撥水性（疎水性）不織布が挙げられる。特に撥水性のエアースルー不織布を用いることが、肌触りのよさと横モレ防止の点から好ましい。
【００６６】
ウイング部粘着部７１や本体粘着部７２（ズレ止め部）の形成方法としては、下着等の衣類に固定して用いる吸収性物品に従来用いられる方法を特に制限なく用いることができる。例えば、粘着剤を裏面シート３に直接塗工して形成することもできるし、粘着剤が塗工された粘着テープの他面側を裏面シートに接合して形成することもできる。粘着部の形成に用いる粘着剤としては、例えば、エマルジョン系、水系、溶剤系の粘着剤が挙げられる。また、ズレ止め部は、優れた位置ずれ防止性能及び安定な生産性を得る観点から、ホットメルト粘着剤等の粘着剤を塗布して形成することが好ましい。そのような粘着剤としては、この種の物品に通常用いられるものを制限なく採用することができるが、主に天然ゴム類似の基本構造を有する合成ゴム系のブロック共重合体を用いることが好ましい。そのようなブロック共重合体としては、例えばスチレン−イソプレン−スチレンブロック共重合体（ＳＩＳ）、スチレン−エチレン−プロピレン−スチレン共重合体（ＳＥＰＳ）、スチレン−ブタジエン−スチレンブロック共重合体（ＳＢＳ）、スチレン−エチレン−ブチレン−スチレン共重合体（ＳＥＢＳ）等が挙げられる。粘着剤は、これらのブロック共重合体から選択される一種又は二種以上のベースポリマーを１０〜６５重量％、特に３０〜５０重量％含むことが好ましい。尚、ズレ止め部は、吸収性本体とそれを固定する衣類との間のズレを防止できる限り、粘着性がなくてもよい。
【００６７】
線状圧搾溝８（第１横圧搾溝８１、縦圧搾溝８２及び第２横圧搾溝８３）は、熱を伴うか又は伴わない圧搾加工（いわゆるエンボス加工）、あるいは超音波エンボス等のエンボス加工により常法に従って形成することができる。
【００６８】
上述したナプキン１の作用効果について説明する。
ナプキン１では、吸収体４の有するスリット４３によって、吸収体４の有するスリット４３により製品のフィット性を高め、排泄された体液を素早く吸収体４内に吸収できる。ここで、図４に示すように、表面シート２が、内部空間Ｓ１を有する複数の肌側突出部２１と、内部空間Ｓ２を有する複数の非肌側突出部２２とを有する凹凸構造のシートであり、吸収体４と接触する部分が少ない。また、図２に示すように、表面シート２の各肌側突出部２１と吸収体４との間に中空構造が形成されている。その為、吸収体４におけるスリット４３のわずかな隙間に排泄された体液が残っていたとしても、該体液が表面シート２に移り難い。また、図３に示すように、肌側突出部２１の壁部２１Ｗの繊維坪量が、肌側突出部２１の頂部２１Ｔの繊維坪量よりも高くなっているので、体液が肌側突出部２１の頂部２１Ｔ側に移行し難く、吸収体４に吸収された体液の液戻りを抑えることができる。また、ナプキン１の着用時に、体圧によって表面シート２の肌側突出部２１が潰され、吸収体スリット４３のわずかな隙間に残った体液と接触することで残った体液を肌側突出部２１が吸い上げる。肌側突出部２１の壁部２１Ｗの繊維坪量が、肌側突出部２１の頂部２１Ｔの繊維坪量よりも高くなっているので、肌側突出部２１及び非肌側突出部２２は、潰れたとしても、元に戻り易く、また、吸い上げた体液は頂部２１Ｔと壁部２１Ｗ，２２Ｗとの疎密勾配の効果で吸収体４に再び吸収され体液の液戻りを抑えることができ、表面シート２にも液が残らずドライ感を維持できる。
【００６９】
また、ナプキン１では、排泄部対向部Ｂにおける線状圧搾溝８以外の部分では、図５に示すように断面視したときに、表面シート２の複数の肌側突出部２１と吸収体４との間の中空構造を形成する内部空間Ｓ１，Ｓ１どうしが繋がっており、内部空間Ｓ１，Ｓ１どうしの繋がりが、縦方向Ｘ及び横方向Ｙから形成される面方向に広がっている。その為、排泄された体液を更に素早く吸収体４内に吸収できると共に、吸収体４に吸収された体液の液戻りを更に抑えることができる。
【００７０】
また、ナプキン１では、図１に示すように、表面シート２を平面視したときに、肌側突出部２１及び非肌側突出部２２が、互いに交差する異なる２方向に沿って交互に連続して配されているシートであるので、着用者のあらゆる方向の動きに肌側突出部２１が追従し易く、着用時のフィット性が向上する。また、吸収体４の有するスリット４３が縦スリットであり、複数の縦スリット４３が配された排泄部スリット領域４Ｓが、図６に示すように、排泄部対向部Ｂのみならず、前方部Ａの一部及び後方部Ｃの一部に亘っている。その為、縦スリット４３を起点に折れ曲がり易く、着用時のフィット性が向上する。
【００７１】
また、ナプキン１は、図１及び図３に示すように、１つの縦スリット４３の上に、表面シート２における２つの肌側突出部２１，２１それぞれの頂部２１Ｔ，２１Ｔが配されているスリットを有している。その為、ナプキン１の着用時に体圧によって表面シート２の肌側突出部２１が潰れ、吸収体４におけるスリット４３のわずかな隙間に残った体液に頂部２１Ｔが接触した後、潰れた肌側突出部２１が元の形に戻り、体液が頂部２１Ｔに移る。肌側突出部２１の壁部２１Ｗ，２２Ｗの繊維坪量が肌側突出部２１の頂部２１Ｔの繊維坪量よりも高くなっているので、体液が壁部２１Ｗ，２２Ｗに移行し易く、移行した壁部２１Ｗ，２２Ｗの体液が、非肌側突出部２２の頂部２２Ｔを介して吸収体４に再び移行され易い。このように体液が移行し易いので、吸収体４に吸収され、スリット４３のわずかな隙間に残った体液からの液戻りを抑えることができる。また、肌側突出部２１がスリット４３に接触しなかったとしても中空構造を形成していることより液戻りを抑えることができる。特に、ナプキン１では、非肌側突出部２２の頂部２２Ｔに透孔２３が形成されていると、毛管力により体液をより素早く吸収することができ、非肌側突出部２２の頂部２２Ｔの透孔２３を通して、体液を吸収体４に移行することができる。
【００７２】
また、ナプキン１では、図２に示すように、スリット（縦スリット）４３が、４層構造の多層部４２を備える吸収体４の全層を貫通しており、スリット４３は、図３に示すように、表面シート２側の開口幅が、裏面シート３側の開口幅よりも小さく形成されている。その為、毛管力でスリット４３における表面シート２側の周縁に排泄された体液が集まり易く、ナプキン１の着用時に体圧によって表面シート２の肌側突出部２１が潰れ、頂部２１Ｔが吸収体４におけるスリット４３の隙間の表面シート２側に残った体液に接触することで、スリット４３に残る体液を全て吸い上げ易くなる。肌側突出部２１の壁部２１Ｗの繊維坪量が肌側突出部２１の頂部２１Ｔの繊維坪量よりも高くなっているので、体液が壁部２１Ｗに移行し易く、移行した壁部２１Ｗの体液が、非肌側突出部２２の頂部２２Ｔを介して吸収体４に移行され易い。このようにスリット４３の隙間に残る体液がほとんどなくなり、表面シート２の肌側突出部２１の頂部で吸い上げた体液が再び吸収体に移行し易いので、表面シートにも液が残らず吸収体４に吸収された体液の液戻りを更に抑えることができる。
【００７３】
また、ナプキン１では、表面シート２と吸収体４との間は、接着剤を塗布して固定されている。その為、着用時に着用者の動きによって、スリット（縦スリット）４３が開き過ぎることを防止でき、開き過ぎたスリット（縦スリット）４３に起因するナプキン１のヨレを防止でき、着用感が向上する。
【００７４】
以上、本発明をその好ましい実施形態に基づき説明したが、本発明の吸収性物品は前記実施形態のナプキン１に何ら制限されるものではなく、適宜変更可能である。
例えば、ナプキン１の有する表面シート２は、図４に示すように、内部空間Ｓ１を有する複数の肌側突出部２１部２１と内部空間Ｓ２を有する複数の非肌側突出部２２とを有しており、表面シート２を平面視したときに、肌側突出部２１及び非肌側突出部２２が、互いに交差する異なる２方向に沿って交互に連続して配されているシートであるが、内部空間Ｓ１を有する複数の肌側突出部２１と内部空間Ｓ２を有する複数の非肌側突出部２２とを有していればよい。例えば、図８に示すように、縦方向Ｘに延びる筋状の内部空間Ｓ３を有する肌側突出部２４と縦方向Ｘに延びる筋状の内部空間Ｓ４を有する非肌側突出部２５とが、横方向Ｙに交互に配された凹凸構造のシートであってもよい。また、横方向Ｙに延びる筋状の内部空間Ｓ３を有する肌側突出部２４と横方向Yに延びる筋状の内部空間Ｓ４を有する非肌側突出部２５とが縦方向Ｘに交互に配された凹凸構造のシートであってもよい。図８に示す前記凹凸構造シートは、互いに噛み合いが可能になっている一対の凹凸ロールにより不織布シートを延伸することにより凹凸構造を形成し、断面視して、肌側突出部２４の頂部域と非肌側突出部の底部域との間の側部域は、その繊維坪量が、該肌側頂部域の繊維坪量及び該底部域の繊維坪量よりも低く形成されていてもよい。
【００７５】
また、ナプキン１では、図１及び図２に示すように、吸収性本体１０の肌対向面（表面シート２の肌対向面）に、表面シート２及び吸収体４が裏面シート３側に向かって一体的に凹陥してなる線状圧搾溝８が形成されているが、線状圧搾溝８が形成されていなくてもよい。
また、ナプキン１では、吸収体４は、吸収性シート４１１〜４１３を折り畳んだ積層体から形成されているが、枚葉の吸収性シートを複数枚貼り合わせて積層したものでもよい。また、吸収性シートの折り畳み方も多様な折り畳み方を採用できる。
【００７６】
また、ナプキン１の吸収体４が有する複数のスリット４３は、図１及び図６に示すように、縦スリットであるが、ナプキン１の横方向に沿う横スリットであってもよいし、縦方向Ｘ及び横方向Ｙの両者に対して角度を有する斜め方向に延びるスリットであってもよいし、縦スリットと横スリットとを混在してもよい。また、ナプキン１の吸収体４が有する複数のスリット４３は、図２に示すように、吸収体４をその厚み方向に亘って全層を貫通しているが、少なくとも１層貫通していればよい。より液戻りを抑えるという観点では、肌面側の一層が少なくとも貫通され、多層部４２において補助吸収体４１を設ける場合には、補助吸収体４１も貫通していることがより好ましい。
【００７７】
また、ナプキン１の吸収体４の排泄部スリット領域４Ｓは、排泄部対向部Ｂのみに形成されていてもよいし、排泄部対向部Ｂから後方部Ｃの一部に延在していてもよいし、排泄部対向部Ｂから、前方部Ａの一部及び後方部Ｃの一部に延在していてもよい。また、多層部４２における吸収性シートの積層数は、４枚に代えて、２枚又は３枚でもよく、５枚以上であってもよい。また、多層部４２とそれ以外の部分との吸収性シートの積層枚数の差も１枚又は３枚以上であってもよい。
【００７８】
また、本発明の吸収性物品は、生理用ナプキンの他、パンティーライナー（おりものシート）、失禁パッド等であってもよい。
【実施例】
【００７９】
以下、本発明の吸収性物品を実施例により更に詳細に説明する。しかしながら本発明の範囲はかかる実施例によって何ら制限されるものではない。
【００８０】
＜実施例１＞
図４及び図５に示す表面シートを有する図１〜図３に示す生理用ナプキン１と同様の基本構成を有する生理用ナプキンを作製し、これを実施例１のサンプルとした。表面シートとしては、特開２０１３−１３３５７４号公報に記載の方法により製造したシートを用いた。表面シートは、上層に芯がポリエチレンテレフタレートで鞘がポリエチレンからなる２．４ｄｔeｘで１０ｇｓｍの坪量、下層に芯がポリエチレンテレフタレートで鞘がポリエチレンからなる２．９ｄｔｅｘ繊維で１５ｇｓｍの坪量なるように計２５ｇ／ｍ２に調整し、表面材の全体の厚さＴＳを１．７ｍｍに調整した。非肌側突出部の頂部２２Ｔの繊維坪量の値は３２本／ｍｍ２であり、肌側突出部の頂部２１Ｔの繊維坪量の値は３９本／ｍｍ２であり、肌側突出部の壁部２１Ｗの繊維坪量の値は４６本／ｍｍ２であった。また、表面シートは、横方向Ｙに隣り合う肌側突出部の頂部２１Ｔ，２１Ｔどうしの間隔Ｌ２１が５ｍｍであり、縦方向Ｘに隣り合う肌側突出部の頂部２１Ｔ，２１Ｔどうしの間隔が７ｍｍであった。吸収性シートで形成された吸収体の有する縦スリットは、その横方向の長さである幅Ｗ４３が０．３ｍｍであり、その縦方向の長さＬ２が２０ｍｍであり、縦スリットどうしの間隔Ｌ４３が１０ｍｍであった。
【００８１】
＜比較例１＞
実施例１のサンプルにおいて、表面シートを、図９に示す表面シート２００に換え、それ以外は実施例１と同様にして、比較例１のサンプルを作製した。表面シート２００としては、単層構造の繊維シートからなり、その構成繊維を圧着して形成された窪み部２０１が、斜め格子状に配されている。表面シート２００には、斜め格子状の窪み部２０１によって区画化された多数の区画領域２０２が形成されている。各区画領域２０２は、窪み部２０１に対して相対的に隆起する凸部となっている。従って、表面シート２００は、斜め格子状に形成された窪み部２０１及び該窪み部２０１で囲まれた凸部である区画領域２０２をそれぞれ多数有する凹凸形状のシートである。尚、凸部である区画領域２０２内は、表面シート２００の構成繊維で満たされている。また、表面シート２００は、坪量が２５ｇ／ｍ２であり、窪み部２０１の幅が０．５ｍｍであり、区画領域２０２の面積が０．４５ｃｍ２であった。      
【００８２】
〔評価〕
実施例１及び比較例１のサンプル（生理用ナプキン）について、液吸収時間、吸い上げ残存量、液戻り量、及び拡散面積を、それぞれ下記方法により評価した。それらの結果を下記表１に示す。
【００８３】
＜液吸収時間＞
実施例及び比較例の各サンプルを広げて実験台に置き、該サンプルの上に、長軸５０ｍｍ、短軸２２.５ｍｍの楕円筒、筒高さ３０ｍｍのアクリル製注入楕円筒部が一体成形されたアクリル製注液プレートを、その注液孔が該サンプルの肌対向面（表面シート側）における排泄部対向部の中央に位置するように重ねて置き、適当な重り板を乗せて（注液プレート自身を含む）荷重が５ｇ／ｍ２となるよう調整した。日本バイオテスト（株）製馬脱繊維血を予め室温（２３℃）で馴化させておき、１０ｃｃの注液ビーカーに６ｇ測り取った。この血液を前記注液プレートの筒内に一気に注ぎ込み、注ぎ終わった瞬間から、筒内の血液が無くなってサンプルの表面シートが露出するまでの時間（秒）を計測した。各サンプルについて３回計測を行い、その平均値を当該サンプルの液吸収時間とした。
【００８４】
＜吸い上げ残存量＞
水平に置いたガラス製の表面平滑なプレート上に、脱繊維馬血（日本バイオテスト（株）製）１ｇを滴下した。その上に、表面シートを下に向けて生理用ナプキンを載置した。１分間その状態を保持した後、生理用ナプキンを取り除き、プレートに残存する脱繊維馬血の量を測定した。各サンプルについて３回計測を行い、その平均値を当該サンプルの吸い上げ残存量とした。
【００８５】
＜１０分間放置後の液戻り量＞
前記液吸収時間の測定後に、サンプルを加圧状態のまま１０分間放置した後、注液プレートを重りごと取り除き、サンプルの液吸収部（前記液吸収時間の測定において液が注ぎ込まれた部分）に予め秤量済みの吸収紙（長さ１７０ｍｍ、幅７０ｍｍ、坪量３０ｇ／ｃｍ２）を１０枚重ねたものを、サンプルの表面に重ね、そのサンプルを、素早くショーツのクロッチ部に取り付けて動的歩行モデルに装着し、１分間歩行させた。歩行後モデルの動きを停止し、吸収紙を取り出して秤量し、該吸収紙が吸い取った液量（ｇ）を算出した。各サンプルについて３回計測を行い、その平均値を当該サンプルの液戻り量とした。
【００８６】
＜液拡散面積＞
前記液戻り量の測定が終了した直後に、ＯＨＰ用フィルムを表面シートの上に置き、表面シートが赤く拡がった部分の輪郭を書き込んだ。その輪郭の内側の面積を測定できる専用ソフト（Ｉｍａｇｅ−ＰｒｏＰｌｕｓ：（株）日本ローパー社製）を用い、ＯＨＰフィルムに書き込まれた画像をスキャナーでパソコンに取り込んで液拡散面積を求めた。各サンプルについて３回計測を行い、その平均値を当該サンプルの液拡散面積とした。
【００８７】
【表１】
0006512987.tif 000003
【００８８】
表１の結果によれば、実施例１の生理用ナプキンは、比較例１の生理用ナプキンに比べて、液吸収時間が早く、吸い上げ残存量も少ないことがわかった。従って、実施例１の生理用ナプキンは、比較例１の生理用ナプキンに比べて、排泄された体液を素早く吸収体内に吸収できることが期待できる。また、実施例１の生理用ナプキンは、比較例１の生理用ナプキンに比べて、液拡散面積が同じであるが、１０分放置後の液戻り量が少ないことがわかった。従って、実施例１の生理用ナプキンは、比較例１の生理用ナプキンに比べて、吸収体に吸収された体液の液戻りを抑えることができることが期待できる。
【符号の説明】
【００８９】
１  生理用ナプキン（吸収性物品）
１０Ｂ  吸収性本体
１０Ｗ  ウイング部
１０Ｓ  サイドフラップ部１０Ｓ
２  表面シート
２１  肌側突出部
２１Ｔ  肌側突出部の頂部
２１Ｗ  肌側突出部の壁部
Ｓ１  内部空間
２２  非肌側突出部
２２Ｔ  非肌側突出部の頂部
２２Ｗ  非肌側突出部の壁部
Ｓ２  内部空間
３  裏面シート
４  吸収体
４１１，４１２，４１３  吸収性シート
４Ｓ  排泄部スリット領域
４０  主吸収体
４１  補助吸収体
４２  多層部
４３  縦スリット
５  サイドシート
６１  第１接合線
６２  第２接合線
７１  ウイング部粘着部
７２  本体粘着部
８  線状圧搾溝
８１  第１横圧搾溝
８２  縦圧搾溝
８３  第２横圧搾溝
【図１】
0006512987.tif 000004
【図２】
0006512987.tif 000005
【図３】
0006512987.tif 000006
【図４】
0006512987.tif 000007
【図５】
0006512987.tif 000008
【図６】
0006512987.tif 000009
【図７】
0006512987.tif 000010
【図８】
0006512987.tif 000011
【図９】
0006512987.tif 000012